(57)【要約】【課題】イメージキャンセルミキサを用いたＦＭ受信機において、受信周波数に依存してイメージキャンセル度に違いが生じる。【解決手段】第１混合回路６６におけるイメージキャンセルミキサにて互いに直交すべき信号の位相関係を、レジスタ１０６に設定されるデータＤＰＡにより調整する。不揮発性のメモリ６０に、位相関係の受信周波数ｆＲに対する依存性についての較正情報１４０を予め格納しておく。例えば、複数のｆＲにてＲＦ回路６２にイメージ周波数のＲＦ信号を入力したときの受信電界強度信号に基づいて、イメージキャンセル度を最適とするＤＰＡを予め測定により求める。較正情報１４０はこのＤＰＡが表す位相調整の度合いを含む。マイクロコンピュータ５４は、受信動作にてｆＲを変更する際、当該較正情報１４０に基づき、補間演算によりｆＲに対応するＤＰＡを求め、レジスタ１０６に設定する。【選択図】図１
2009081597.tif 000002
【特許請求の範囲】
【請求項１】
受信信号を第１信号チャネルと第２信号チャネルとに分岐し、各信号チャネル毎に目的受信周波数を所定の中間周波数にシフトさせる周波数変換を行い、前記第１信号チャネルにて得られた第１信号及び前記第２信号チャネルにて得られた第２信号をイメージ周波数成分が相殺される位相関係で合成して、目的受信信号の中間周波信号を生成するイメージキャンセルミキサ回路と、
位相調整設定データに基づき、前記第１信号及び前記第２信号相互の前記位相関係を調整する位相関係調整回路と、
前記位相関係の前記目的受信周波数に対する依存性についての較正情報を予め格納された記憶部と、
前記較正情報に基づいて前記位相関係調整回路に前記目的受信周波数に応じた前記位相調整設定データを設定する制御部と、
を有することを特徴とするＦＭ受信機。
【請求項２】
データ転送手段を介して制御部に接続可能な集積回路であるＦＭチューナにおいて、
受信信号を第１信号チャネルと第２信号チャネルとに分岐し、各信号チャネル毎に目的受信周波数を所定の中間周波数にシフトさせる周波数変換を行い、前記第１信号チャネルにて得られた第１信号及び前記第２信号チャネルにて得られた第２信号をイメージ周波数成分が相殺される位相関係で合成して、目的受信信号の中間周波信号を生成するイメージキャンセルミキサ回路と、
前記位相関係の前記目的受信周波数に対する依存性についての較正情報を予め格納され、前記制御部から当該較正情報を読み出し可能な記憶部と、
前記制御部が前記較正情報に基づき前記目的受信周波数に応じて設定する位相調整設定データに基づいて、前記イメージキャンセルミキサ回路での前記位相関係を調整する位相関係調整回路と、
を有することを特徴とするＦＭチューナ。
【請求項３】
請求項２に記載のＦＭチューナにおいて、
前記較正情報は、複数の前記目的受信周波数それぞれでの、前記イメージキャンセルミキサ回路における前記イメージ周波数成分に対する相殺効果が最大となる前記位相調整設定データに基づくものであること、
を特徴とするＦＭチューナ。
【請求項４】
請求項２に記載のＦＭチューナにおいて、
前記較正情報は、複数の前記目的受信周波数それぞれでの、前記イメージキャンセルミキサ回路における前記イメージ周波数成分に対する相殺効果が最大となる前記位相調整設定データに基づいた調整度合いを表す数値であり、
任意の前記目的受信周波数にて前記位相関係調整回路に設定される前記位相調整設定データは、前記較正情報から補間又は外挿に基づき定められること、
を特徴とするＦＭチューナ。
【発明の詳細な説明】
【技術分野】
【０００１】
本発明は、ＦＭ受信機及びＦＭチューナに関し、特に受信帯域内でのイメージ除去特性の安定化に関する。
【背景技術】
【０００２】
図３は、従来のＦＭ受信機２の回路構成を示すブロック図である。アンテナ４で受信されたＲＦ（Ｒａｄｉｏ  Ｆｒｅｑｕｅｎｃｙ）信号ＳＲＦ０は、ＲＦ回路６に入力される。ＲＦ回路６は、受信対象とする広い帯域にわたるＲＦ信号ＳＲＦ０から、搬送波周波数ｆＲを有する目的受信局を含む狭い帯域のＲＦ信号ＳＲＦを抽出する同調処理を行う。
【０００３】
第１混合回路８は、ＲＦ回路６から入力されるＲＦ信号ＳＲＦと、第１局部発振部１０から入力される周波数ｆＬＯ１の第１局部発振信号ＳＬＯ１とを混合して、第１中間周波数（Ｉｎｔｅｒｍｅｄｉａｔｅ  Ｆｒｅｑｕｅｎｃｙ：ＩＦ）ｆＩＦ１を有する第１中間信号ＳＩＦ１を生成する。
【０００４】
第１局部発振部１０は、電圧制御発振器（ＶＣＯ）を用いたＰＬＬ（Ｐｈａｓｅ  Ｌｏｃｋ  Ｌｏｏｐ）回路を有し、ＶＣＯが出力する発振信号ＳＯＳＣ１に基づいてＳＬＯ１を生成する。ちなみに、ＶＣＯは、共振回路を構成する容量素子に、印加電圧に応じて静電容量Ｃが変化するバラクタダイオードを用い、ＰＬＬ回路のループフィルタが出力する制御電圧Ｖｔをバラクタダイオードに印加して容量Ｃを変化させることで発振周波数を制御できる。
【０００５】
ＳＩＦ１は、第２混合回路１２に入力される。第２混合回路１２は、第１中間信号ＳＩＦ１を、第２局部発振部１６から入力される周波数ｆＬＯ２の第２局部発振信号ＳＬＯ２と混合して、第２中間周波数ｆＩＦ２の第２中間信号ＳＩＦ２を生成する。
【０００６】
ＳＩＦ２は、ＩＦＢＰＦ１８、リミッタアンプ２０を経て、ＦＭ検波回路２２に入力される。ＦＭ検波回路２２は例えば、ＳＩＦ２をＦＭ検波し、音声帯域成分を含む検波出力信号ＳＤＥＴを出力する。
【０００７】
さて、ＲＦ回路６の出力信号に含まれる周波数ｆＲの目的受信局を第１中間周波数ｆＩＦ１へダウンコンバートするとき、周波数混合により生ずる和信号（周波数：ｆＲ＋ｆＬＯ１）と差信号（周波数：｜ｆＲ−ｆＬＯ１｜）とのうち差信号が利用され、ｆＬＯ１が｜ｆＲ−ｆＬＯ１｜＝ｆＩＦ１を満たすＳＬＯ１により、目的受信局は周波数ｆＲからｆＩＦ１へ変換される。ここで、｜ｆＲ−ｆＬＯ１｜＝ｆＩＦ１を満たすｆＬＯ１は（ｆＲ＋ｆＩＦ１）と（ｆＲ−ｆＩＦ１）との２通り存在する。そのため、例えば、ｆＬＯ１を（ｆＲ＋ｆＩＦ１）とする場合、目的受信局がｆＩＦ１へ変換される一方で同時に、ＳＲＦに含まれうる周波数（ｆＲ＋２ｆＩＦ１）の成分もｆＩＦ１へ変換され、これがイメージ妨害信号となる。また、ｆＬＯ１を（ｆＲ−ｆＩＦ１）とした場合も同様にしてイメージ妨害信号が発生する。
【０００８】
このイメージ妨害信号を除去するために、第１混合回路８をイメージキャンセルミキサ（ＩＱミキサ）で構成することが行われている。図４は、イメージキャンセルミキサの原理を説明するための模式的なブロック図である。ＲＦ回路６から差動信号として出力されるＲＦ信号ＳＲＦの非反転側の信号をＳＲＦ（０）、反転側の信号をＳＲＦ（−π）と表す。ＳＲＦ（−π）をミキサ４０に入力し、ＳＲＦ（０）をミキサ４１に入力する。第１局部発振部１０は、ＶＣＯの出力信号ＳＯＳＣ１を分周回路４２で分周し、第１局部発振信号ＳＬＯ１を生成する。その際、分周回路４２はＳＬＯ１として、位相が互いに（π／２）［ｒａｄ］ずれた２つの信号ＳＬＯ１（０）とＳＬＯ１（−π／２）とを生成し、ミキサ４０に対してはＳＬＯ１（−π／２）を入力し、ミキサ４１に対してはＳＬＯ１（０）を入力する。ミキサ４０は、ＳＲＦ（０）に対して位相が（−π）［ｒａｄ］ずれたＳＲＦ（−π）と、ＳＬＯ１（０）に対して位相が（−π／２）［ｒａｄ］ずれたＳＬＯ１（−π／２）とを混合して、ＳＲＦを周波数ｆＩＦ１のＳＣＨ１へダウンコンバートする。一方、ミキサ４１は、ＳＲＦ（０）と、ＳＬＯ１（０）とを混合して、ＳＲＦを周波数ｆＩＦ１のＳＣＨ２へダウンコンバートする。ミキサ４０の出力信号ＳＣＨ１はＡＰＦ（Ａｌｌ  Ｐａｓｓ  Ｆｉｌｔｅｒ）４３にて位相を（π／４）［ｒａｄ］シフトされ、ミキサ４１の出力信号ＳＣＨ２はＡＰＦ４４にて位相を（−π／４）［ｒａｄ］シフトされ、それぞれ加算器４５へ入力される。加算器４５は、ＡＰＦ４３，４４から出力されるＳＣＨ１，ＳＣＨ２を加算合成した信号を出力する。
【０００９】
ここで、ＡＰＦ４３の出力信号ＳＣＨ１に含まれる目的受信局の信号成分の位相は（−π／４）［ｒａｄ］シフトし、イメージ信号成分の位相は（−５π／４）［ｒａｄ］シフトする。一方、ＡＰＦ４４の出力信号ＳＣＨ２に含まれる目的受信局の信号成分の位相は（−π／４）［ｒａｄ］シフトし、イメージ信号成分の位相は（−π／４）［ｒａｄ］シフトする。その結果、ＳＣＨ１及びＳＣＨ２それぞれに含まれる目的受信局の信号成分は同相となり、加算器４５の出力には、それら信号成分を足し合わせた信号が現れる。一方、ＳＣＨ１及びＳＣＨ２それぞれに含まれるイメージ信号成分は互いに逆相となり、加算器４５にて相殺され、その出力にはイメージ信号は理論的には現れない。
【００１０】
第１混合回路８を構成するイメージキャンセルミキサ回路のＡＰＦ４３，４４は、例えば、それらを構成する抵抗素子Ｒや容量素子Ｃをスイッチ素子で切り換え可能として、位相シフト量を制御できるように構成されている。スイッチ素子は、スイッチ制御回路２６がレジスタ２４に格納されたデータのビット値に応じて、スイッチ素子の制御電圧信号を生成し、当該制御電圧信号でＡＰＦ４３，４４に設けた上述のスイッチ素子のオン／オフが切り換えられる。
【００１１】
ＦＭ受信機２は、上述の回路（ＦＭチューナ回路）と、当該ＦＭチューナ回路の動作を制御するマイクロコンピュータ３２及び当該ＦＭチューナ回路の制御パラメータ等を格納したＥＥＰＲＯＭ等のメモリ３４とで構成される。例えば、ＦＭチューナ回路が構成された集積回路（ＩＣ）は、システムバス３６を介してマイクロコンピュータ３２やメモリ３４に接続される。メモリ３４には、イメージキャンセルミキサにおけるイメージ信号除去を好適とするＡＰＦ４３，４４の位相調整設定データが予め格納されており、マイクロコンピュータ３２は、ＦＭ受信機２の起動時にその位相調整設定データをメモリ３４から読み出してレジスタ２４に書き込む。この位相調整設定データは、受信帯域のほぼ中心となる周波数でのイメージキャンセル度に基づいて定められ、受信帯域全体に共通に適用される。
【特許文献１】特開平６−３３８８３６号公報
【特許文献２】特開２００１−１７７４２５号公報
【発明の開示】
【発明が解決しようとする課題】
【００１２】
イメージキャンセルミキサにおける２つの信号チャネルの位相差は、目的受信局の周波数ｆＲに依存し得る。例えば、上述のようにイメージ信号除去の原理には、（π／２）［ｒａｄ］の位相差が要求される部分があり、その部分で位相差が（π／２）からずれるとイメージキャンセル度が低下する。すなわち、受信対象帯域内にて、イメージキャンセル度が変動するという問題があった。例えば、上述したように、受信帯域のほぼ中心となる周波数で好適なイメージキャンセル度が得られるように位相調整データを定めた場合、その周波数から離れた受信帯域内の高い周波数領域や低い周波数領域ではイメージキャンセル度が不十分となり得るという問題が生じる。
【００１３】
本発明は上記問題点を解決するためになされたものであり、受信対象帯域内にて、安定したイメージ信号除去が実現されるＦＭ受信機及びＦＭチューナを提供することを目的とする。
【課題を解決するための手段】
【００１４】
本発明に係るＦＭ受信機は、受信信号を第１信号チャネルと第２信号チャネルとに分岐し、各信号チャネル毎に目的受信周波数を所定の中間周波数にシフトさせる周波数変換を行い、前記第１信号チャネルにて得られた第１信号及び前記第２信号チャネルにて得られた第２信号をイメージ周波数成分が相殺される位相関係で合成して、目的受信信号の中間周波信号を生成するイメージキャンセルミキサ回路と、位相調整設定データに基づき、前記第１信号及び前記第２信号相互の前記位相関係を調整する位相関係調整回路と、前記位相関係の前記目的受信周波数に対する依存性についての較正情報を予め格納された記憶部と、前記較正情報に基づいて前記位相関係調整回路に前記目的受信周波数に応じた前記位相調整設定データを設定する制御部と、を有する。
【発明の効果】
【００１５】
本発明によれば、受信動作時には、予め記憶部に格納された較正情報を用いてイメージキャンセルミキサ回路の第１信号及び第２信号相互の位相関係が目的受信周波数に応じて調整される。これにより、イメージキャンセルミキサ回路によるイメージ周波数成分の相殺効果に関して受信周波数に対する依存性を解消することができ、受信周波数によらず好適なイメージ信号除去の効果を得ることが可能となる。
【発明を実施するための最良の形態】
【００１６】
以下、本発明の実施の形態（以下実施形態という）について、図面に基づいて説明する。図１は、実施形態に係るＦＭ受信機の概略のブロック構成図である。本ＦＭ受信機５０は、ＦＭチューナ回路５２と、当該ＦＭチューナ回路５２の動作を制御する制御部であるマイクロコンピュータ５４と、それらの間の通信を可能とするシステムバス５６とを含んで構成されるＦＭラジオ受信機である。ＦＭチューナ回路５２の主要部はＩＣ化され、例えば、アンテナ５８で受信されたＲＦ信号ＳＲＦ０から希望局の音声信号に対応した出力信号ＳＯＵＴを生成する信号処理回路と、当該信号処理回路の動作で用いられるデータ等を格納したＥＥＰＲＯＭ等の不揮発性のメモリ６０とが１チップ若しくは１パッケージのＩＣ、又は別チップとして構成される。
【００１７】
アンテナ５８で受信されたＲＦ信号ＳＲＦ０は、ＲＦ回路６２、第１局部発振部６４、第１混合回路６６、バンドパスフィルタ（ＢＰＦ：Ｂａｎｄ  Ｐａｓｓ  Ｆｉｌｔｅｒ）６８，７２、バッファアンプ７０，７８、第２局部発振部７４、第２混合回路７６、ＩＦＢＰＦ８０、リミッタアンプ８２、ＦＭ検波回路８４、及びマトリクス回路（ＭＰＸ回路）８６を含んで構成される信号処理系で処理され、出力信号ＳＯＵＴが生成される。
【００１８】
ＦＭチューナ回路５２は上述の構成要素の他、Ｓメータ回路９２、帯域幅制御回路９４、レジスタ１０４，１０６及びＤ／Ａ変換回路１０８、スイッチ制御回路１１０を含んで構成される。
【００１９】
ＲＦ信号ＳＲＦ０はＲＦ回路６２に入力される。ＲＦ回路６２は、受信対象帯域にわたるＲＦ信号ＳＲＦ０から、搬送波周波数ｆＲを有する目的受信局を含む比較的狭い帯域のＲＦ信号ＳＲＦを抽出する同調処理を行う。同調処理では、同調周波数ｆＴを中心周波数とするＲＦＢＰＦが、目的受信信号の近傍帯域から外れた成分を減衰させる。同調周波数ｆＴの制御において、マイクロコンピュータ５４はシステムバス５６を介してメモリ６０から所望のｆＴに応じたデータを読み出し、レジスタ１０４に設定する。Ｄ／Ａ変換回路１０８はレジスタ１０４に設定された当該データに応じた電圧を生成し、ＲＦＢＰＦを構成するバラクタダイオードに印加する。バラクタダイオードは印加電圧に応じてその静電容量Ｃを変化させる。それによりＲＦＢＰＦの通過帯域の中心周波数に対応した同調周波数ｆＴが制御される。ＲＦ回路６２で抽出されたＲＦ信号ＳＲＦは第１混合回路６６に入力される。
【００２０】
第１局部発振部６４は、第１局部発振回路１１２と分周回路１１４とを含んで構成され、第１局部発振信号ＳＬＯ１を出力する。第１発振回路１１２はＶＣＯを用いたＰＬＬ回路で構成され、発振信号ＳＯＳＣ１を生成する。分周回路１１４はＳＯＳＣ１を例えば、１／２や１／３など所定の分周比で分周してＳＬＯ１を生成する。
【００２１】
第１混合回路６６は、入力されたＲＦ信号ＳＲＦを、第１局部発振部６４から入力される第１局部発振信号ＳＬＯ１と混合して、第１中間信号ＳＩＦ１を生成する。ＳＬＯ１の周波数ｆＬＯ１は、ＳＲＦに含まれる目的受信局の信号の搬送波周波数ｆＲが第１混合回路６６によるＳＩＦ１への周波数変換にて所定の第１中間周波数ｆＩＦ１に変換されるように調整される。この調整は、マイクロコンピュータ５４が図示しないレジスタにデータを設定し、当該データに基づいて第１局部発振回路１１２に含まれるＶＣＯの発振周波数や分周回路の分周比を制御することにより行われる。第１中間周波数ｆＩＦ１は、例えば、１０．７ＭＨｚに設定される。
【００２２】
第１混合回路６６は、イメージキャンセルミキサ（ＩＱミキサ）を用いて構成され、ＳＲＦに含まれ得るイメージ妨害信号を除去可能に構成される。第１混合回路６６を構成するイメージキャンセルミキサの基本的な構成は例えば、図４に示すものである。図２は、イメージキャンセルミキサのより詳細な構成例を示す回路図であり、図４と同じ構成要素には同一の符号を付している。このイメージキャンセルミキサは、ダブルバランスドミキサからなるミキサ４０，４１を有する。図４を用いて説明したように、ミキサ４０，４１はＲＦ回路６２から差動信号のＳＲＦを入力され、分周回路１１４から互いに位相が（π／２）［ｒａｄ］ずれたＳＬＯ１を入力される。ミキサ４０，４１それぞれの差動出力がＡＰＦ４３，４４に入力される。
【００２３】
ＡＰＦ４３，４４はポリフェーズフィルタで構成することができる。ＡＰＦ４３，４４を構成する各抵抗素子Ｒ１にはそれぞれ並列接続可能な抵抗素子Ｒ２が設けられ、ＭＯＳトランジスタで構成されるスイッチＳＷ１〜ＳＷ４のオン／オフによりＲ１に並列接続するか否かが制御される。なお、図２では、図示の便宜上、Ｒ１に並列接続され得る抵抗素子はＲ２のみとしたが、実際には、より多くの抵抗素子がＭＯＳスイッチで並列接続可能に構成される。スイッチ制御回路１１０は、レジスタ１０６に格納された位相調整設定データに基づいて、ＡＰＦ４３，４４のＭＯＳスイッチのオン／オフを制御する制御電圧信号を生成する。この構成により、当該部分の抵抗値を多段階に変化させることができ、それにより、ＡＰＦ４３，４４の位相シフト量を制御できる。
【００２４】
上述の例では、ＡＰＦ４３，４４を構成する抵抗値をスイッチ素子で多段階に切り換える構成としているが、ＡＰＦ４３，４４を構成するコンデンサについてスイッチ素子による切り換えで多段階に容量値を変更し、ＡＰＦ４３，４４の位相を制御する構成とすることもできる。また、コンデンサをバラクタダイオードのような容量可変な素子を用いて構成してもよい。例えば、バラクタダイオードを用いた場合、位相調整設定データは、位相調整の度合いを表す数値データとする。そして、レジスタ１０６に格納された位相調整設定データをアナログ電圧信号に変換するＤ／Ａ変換回路を設け、その出力電圧をバラクタダイオードに印加して、バラクタダイオードの容量を制御する構成とすることができる。
【００２５】
なお、レジスタ１０６に対する位相調整設定データＤＰＡの設定は、マイクロコンピュータ５４により行われる。この点については後述する。
【００２６】
第１混合回路６６の加算器４５から出力される差動信号のＳＩＦ１はシングルエンド信号に変換され、ＢＰＦ６８、バッファアンプ７０及びＢＰＦ７２を経て、第２混合回路７６に入力される。例えば、ＢＰＦ６８，７２はセラミックフィルタを用いて構成することができる。
【００２７】
第２混合回路７６は、入力された第１中間信号ＳＩＦ１を、第２局部発振部７４から入力される第２局部発振信号ＳＬＯ２と混合して、第２中間周波数ｆＩＦ２の第２中間信号ＳＩＦ２を生成する。ＳＬＯ２の周波数ｆＬＯ２は、（ｆＩＦ１−ｆＩＦ２）に設定され、ＳＩＦ１に含まれる周波数ｆＩＦ１の目的受信信号は第２混合回路７６において周波数ｆＩＦ２に変換される。第２中間周波数ｆＩＦ２は、例えば、４５０ｋＨｚに設定される。
【００２８】
ＳＩＦ２は、バッファアンプ７８を経由して、ＩＦＢＰＦ８０に入力される。ＩＦＢＰＦ８０は、ｆＩＦ２を中心周波数とし、かつ通過帯域幅ＷＦを可変設定できるバンドパスフィルタである。ＩＦＢＰＦ８０の通過帯域幅ＷＦは帯域幅制御回路９４により制御される。
【００２９】
ＩＦＢＰＦ８０から出力されたＳＩＦ２は、リミッタアンプ８２を経て、ＦＭ検波回路８４に入力される。ＦＭ検波回路８４は例えば、クオドラチュア検波回路で構成される。ＦＭ検波回路８４は、リミッタアンプ８２から入力されたＳＩＦ２をＦＭ検波し、検波出力信号ＳＤＥＴを出力する。
【００３０】
マトリクス回路８６は、ステレオ放送時には、ステレオコンポジット信号であるＳＤＥＴからパイロット信号ＳＰＬを相殺し、（Ｌ＋Ｒ）信号、（Ｌ−Ｒ）信号をそれぞれ抽出して、それら（Ｌ＋Ｒ）信号と（Ｌ−Ｒ）信号とから、マトリクス方式によりＬ信号とＲ信号とを分離し出力する。
【００３１】
Ｓメータ回路９２は、例えば、ＢＰＦ７２から入力されたＳＩＦ１に基づいて、ＳＩＦ１に含まれる変動成分信号ＳＭ−ＡＣを生成すると共に、当該変動成分をＬＰＦで平滑化して受信電界強度信号ＳＭ−ＤＣを生成する。
【００３２】
次に、ＦＭ受信機５０におけるイメージ信号除去の制御について説明する。メモリ６０は、第１混合回路６６を構成するイメージキャンセルミキサでのイメージ信号除去の受信周波数ｆＲに対する依存性についての較正情報１４０を予め格納されている。マイクロコンピュータ５４は、目的受信周波数ｆＲに対応して同調周波数ｆＴを可変するＲＦ回路６２での同調制御に連動して、較正情報１４０に基づいてレジスタ１０６にｆＲに応じた位相調整設定データＤＰＡを設定する。
【００３３】
較正情報１４０は、複数の受信周波数ｆＲそれぞれでの、第１混合回路６６におけるイメージ周波数成分に対する相殺効果が最大となる位相調整設定データＤＰＡに基づいて取得することができる。
【００３４】
ＦＭチューナ回路５２の主要部がＩＣ化され、例えば、アンテナ５８で受信されたＲＦ信号ＳＲＦ０から希望局の音声信号に対応した出力信号ＳＯＵＴを生成する信号処理回路と、当該信号処理回路の動作で用いられるデータ等を格納したＥＥＰＲＯＭ等の不揮発性のメモリ６０とが１チップ又は１パッケージのＩＣとして構成される場合には、半導体製造メーカーにおいて、ＦＭチューナ回路５２を構成するＦＭチューナ用ＩＣのパッケージング工程の完了後、当該ＩＣの動作確認検査を行う工程で、較正情報１４０を取得するための測定を行うことができる。また、ＦＭチューナ回路５２の信号処理回路の主要部が形成されたＩＣと当該信号処理回路の動作で用いられるデータ等を格納したＥＥＰＲＯＭ等の不揮発性のメモリ６０とが別チップでモジュールかオンボードにて構成されている場合には、チューナーメーカーやセットメーカーにて測定を行うことができる。
【００３５】
測定は、受信対象帯域内に設定したｎ点（ｎは２以上の自然数である）の測定周波数ｆＭ（ｋ）（ｋはｎ以下の自然数である）にて行う。検査対象のＩＣのＲＦ回路６２を測定周波数ｆＭ（ｋ）に同調させ、ＲＦ回路６２の入力端子に、イメージ周波数（ｆＭ（ｋ）＋２ｆＩＦ）で所定強度の検査ＲＦ信号を入力する。この状態でＳメータ回路９２から出力される受信電界強度信号ＳＭ−ＤＣは、第１混合回路にて生成される第１中間信号ＳＩＦ１に含まれるイメージ信号成分の強度を表すものとなる。そこで、レジスタ１０６に格納する位相調整設定データＤＰＡを書き換え、ＳＭ−ＤＣの電圧値をモニタし、ＳＭ−ＤＣが最小となる位相調整設定データＤＰＡ（ｋ）を探索する。この探索を各ｆＭ（ｋ）について行い、ｎ個のＤＰＡ（ｋ）を求める。
【００３６】
位相調整設定データＤＰＡが位相調整の度合いを表す数値データである構成では、得られた各ＤＰＡ（ｋ）はｆＭ（ｋ）と対応付けて、メモリ６０に較正情報１４０として書き込まれる。ｎ＝３の場合の具体例として、ｆＭ（１）＝７６ＭＨｚに対応付けてＤＰＡ（１）＝１２、ｆＭ（２）＝８３ＭＨｚに対応付けてＤＰＡ（２）＝１５、ｆＭ（３）＝９０ＭＨｚに対応付けてＤＰＡ（３）＝１７がメモリ６０に格納される。
【００３７】
ＦＭ受信機５０は、このメモリ６０に予め較正情報１４０が記録されたＦＭチューナ用ＩＣを用いて組み立てることができる。このように、ＦＭチューナの信号処理回路とメモリ６０とを一体としたＦＭチューナ用ＩＣは、当該信号処理回路に対応した較正情報１４０をＩＣ製造時にメモリ６０に格納できる。ＦＭ受信機５０のセットメーカー等は、予め半導体メーカーにて較正情報１４０が書き込まれたＩＣを用いることで、第１混合回路６６のイメージキャンセルに関する特性についての調整工程を省くことができる。なお、ＦＭチューナの信号処理回路とメモリ６０とを別チップにて構成する場合はチューナーメーカーやセットメーカーにて第１混合回路６６のイメージキャンセルに関する特性についての調整工程を行う。
【００３８】
なお、メモリ６０に格納された較正情報１４０は、ＦＭ受信機５０の組立後に必要に応じて書き換えることもできる。また、メモリ６０をＦＭ信号の処理回路とは別のＩＣとし、それらＩＣ等を基板等に取り付けＦＭ受信機５０を組み立てた後に、較正情報１４０についての測定を行ってメモリ６０に書き込んでもよい。
【００３９】
ＦＭ受信機５０の受信動作時には、上述したように、マイクロコンピュータ５４が目的受信周波数ｆＲへの同調制御に連動して、較正情報１４０に基づきレジスタ１０６にｆＲに応じた位相調整設定データＤＰＡを設定する。その際、較正情報１４０として上述した複数セットの（ｆＭ（ｋ），ＤＰＡ（ｋ））を格納する構成では、マイクロコンピュータ５４は、任意のｆＴに対し、補間又は外挿によって位相調整設定データＤＰＡを求める。
【００４０】
例えば、上述した３セットの（ｆＭ（ｋ），ＤＰＡ（ｋ））において、ｆＲが７８．４ＭＨｚである場合に、マイクロコンピュータ５４は、（ｆＭ（１），ＤＰＡ（１））と（ｆＭ（２），ＤＰＡ（２））とを補間して、ＤＰＡ＝１３を得、これをレジスタ１０６に書き込む。
【００４１】
また、放送局の周波数は、一定の間隔を置いて設定されたチャンネルに割り当てられる。例えば、日本のＦＭ放送のチャンネルは１００ｋＨｚステップで設定されている。このように、ｆＲは連続ではなく有限個数の値であるため、それら全てについてのＤＰＡのデータ容量もそれほど多くはならない。よって、チャンネル毎に、予め補間演算を行ってＤＰＡを算出し、当該ＤＰＡを較正情報１４０としてメモリ６０に格納してもよい。
【００４２】
さらに、上述した３セットの（ｆＭ（ｋ），ＤＰＡ（ｋ））において例えば、ｆＭ（１）とｆＭ（２）との間では、日本での１チャンネルに相当する１００ｋＨｚ毎のＤＰＡの変化量は約０．０４２である。ここではＤＰＡは整数であり、補間演算において小数点以下を切り捨てるので、ｆＭ（１）からｆＭ（２）まではＤＰＡは２３チャンネル毎に１ずつ増加する。言い換えれば、複数の連続するチャネルが同一のＤＰＡとなる。このような場合には、チャンネル列上にてＤＰＡが変化するチャンネル位置など、ＤＰＡが一定となるチャンネル区間を示す情報と、当該区間でのＤＰＡとを較正情報１４０とすることによりメモリ６０の所要量を抑制できる。この場合には、マイクロコンピュータ５４は、指定されたｆＲが属するチャンネル区間を判別し、当該区間に対応するＤＰＡを読み出して、レジスタ１０６に設定する。
【００４３】
なお、ここではｎ＝３の例を説明したが、ｎをより多くすれば補間の精度向上が図られる。
【００４４】
ここで、ＤＰＡが位相調整の度合いに対応した数値である場合とは、例えば、上述したＡＰＦにてバラクタダイオードを容量素子として用いた構成において、バラクタダイオードの制御電圧をＤＰＡとする場合である。しかし、レジスタ１０６に格納されるデータである位相調整設定データＤＰＡが位相調整の度合いを表す数値ではない場合もある。例えば、図２に示すＡＰＦ４３，４４において複数のＭＯＳスイッチのオン／オフの状態を、ＤＰＡの各ビットで表す構成がこの場合に該当する。この場合には、得られたＤＰＡ（ｋ）を位相調整の度合いを表す数値データＤＮＵＭ（ｋ）に変換し、得られた各ＤＮＵＭ（ｋ）をｆＭ（ｋ）と対応付けて、メモリ６０に較正情報１４０として書き込む。そして、任意のｆＲについての受信動作時には、マイクロコンピュータ５４が補間演算を行って、ｆＲに対応するＤＮＵＭを算出し、さらに、補間で得られたＤＮＵＭを位相調整設定データＤＰＡに変換して、当該ＤＰＡをレジスタ１０６に設定する。
【００４５】
なお、ラジオの各チャンネルについて予めＤＮＵＭの補間演算を行い、ＤＮＵＭの補間値に対応するＤＰＡを求めて、メモリ６０には当該ＤＰＡを保持する構成とすることもできる。この構成での受信動作時には、マイクロコンピュータ５４は、メモリ６０からＤＰＡを読み出してレジスタ１０６に設定する。
【００４６】
本ＦＭ受信機５０では、以上説明したように、較正情報１４０を用いてｆＲに応じた位相調整設定データがレジスタ１０６に設定される。これにより、原理的に、イメージ信号除去が受信対象帯域内の任意の周波数、又はチャンネルにて好適に行われる。
【図面の簡単な説明】
【００４７】
【図１】本発明の実施形態に係るＦＭ受信機の概略のブロック構成図である。
【図２】イメージキャンセルミキサの構成例を示す回路図である。
【図３】従来のＦＭ受信機の構成を説明するブロック図である。
【図４】イメージキャンセルミキサの基本的な回路構成を示すブロック図である。
【符号の説明】
【００４８】
４０，４１  ミキサ、４２  分周回路、４３，４４  ＡＰＦ、４５  加算器、５０  ＦＭ受信機、５２  ＦＭチューナ回路、５４  マイクロコンピュータ、５６  システムバス、５８  アンテナ、６０  メモリ、６２  ＲＦ回路、６４  第１局部発振部、６６  第１混合回路、６８，７２  ＢＰＦ、７０，７８  バッファアンプ、７４  第２局部発振部、７６  第２混合回路、８０  ＩＦＢＰＦ、８２  リミッタアンプ、８４  ＦＭ検波回路、８６  マトリクス回路、９２  Ｓメータ回路、９４  帯域幅制御回路、１０４，１０６  レジスタ、１０８  Ｄ／Ａ変換回路、１１０  スイッチ制御回路、１１２  第１局部発振回路、１１４  分周回路。
【図１】
2009081597.tif 000003
【図２】
2009081597.tif 000004
【図３】
2009081597.tif 000005
【図４】
2009081597.tif 000006